(57)【要約】【課題】荷重伝達経路の健全性を確保できるクレーン運転システムを提供する。【解決手段】本発明によるクレーン運転システムは、吊り荷１１を搬送するクレーン２と、クレーン２に取り付けられ、吊り荷１１が取り付けられる吊り具８と、クレーン２を制御するクレーン制御盤７と、吊り具８を制御する吊り具制御盤１０とを備える。吊り具制御盤１０は、クレーン制御盤７に差し込まれていた第１の鍵（ドライヤーセパレータコントロール鍵２２）が差し込まれると、吊り具制御盤１０の操作が可能になる構成を備える。クレーン制御盤７は、吊り具制御盤１０に差し込まれていた第２の鍵（ドライヤーセパレータ取り付け確認鍵２７）が差し込まれると、クレーン２が吊り荷１１を搬送するのを可能にする構成を備える。【選択図】図４
2020093918.tif 000002
【特許請求の範囲】
【請求項１】
吊り荷を搬送するクレーンと、
前記クレーンに取り付けられ、前記吊り荷が取り付けられる吊り具と、
前記クレーンを制御するクレーン制御盤と、
前記吊り具を制御する吊り具制御盤と、
を備え、
前記吊り具制御盤は、前記クレーン制御盤に差し込まれていた第１の鍵が差し込まれると、前記吊り具制御盤の操作が可能になる構成を備え、
前記クレーン制御盤は、前記吊り具制御盤に差し込まれていた第２の鍵が差し込まれると、前記クレーンが前記吊り荷を搬送するのを可能にする構成を備える、
ことを特徴とするクレーン運転システム。
【請求項２】
前記吊り具制御盤は、前記クレーン制御盤に差し込まれていた前記第１の鍵が差し込まれていないと、前記吊り具制御盤の操作ができないインターロックを備え、
前記クレーン制御盤は、前記吊り具制御盤に差し込まれていた前記第２の鍵が差し込まれていないと、前記クレーンが前記吊り荷を搬送できないインターロックを備える、
請求項１に記載のクレーン運転システム。
【請求項３】
前記クレーン制御盤は、第１の鍵穴と第２の鍵穴とを備え、
前記吊り具制御盤は、第３の鍵穴と第４の鍵穴とを備え、
前記第１の鍵穴には、前記第１の鍵が差し込まれており、
前記第４の鍵穴には、前記第２の鍵が差し込まれており、
前記吊り具制御盤は、前記第１の鍵穴から取り外された前記第１の鍵が前記第３の鍵穴に差し込まれると、前記第２の鍵が前記第４の鍵穴から取り外すことができるインターロックを備え、
前記クレーン制御盤は、前記第４の鍵穴から取り外された前記第２の鍵が前記第２の鍵穴に差し込まれると、前記クレーンが前記吊り荷を搬送することができるインターロックを備える、
請求項１に記載のクレーン運転システム。
【請求項４】
前記吊り具制御盤が備える前記インターロックは、前記第１の鍵が前記第３の鍵穴に差し込まれないと、前記第２の鍵が前記第４の鍵穴から取り外すことができないように構成され、
前記クレーン制御盤が備える前記インターロックは、前記第２の鍵が前記第２の鍵穴に差し込まれないと、前記クレーンが前記吊り荷を搬送することができないように構成されている、
請求項３に記載のクレーン運転システム。
【請求項５】
前記クレーン制御盤は、前記第２の鍵が前記第２の鍵穴に差し込まれると、前記クレーンに吊り上げ可能な荷重を設定するように構成され、
前記クレーンは、前記荷重が設定されると、前記吊り荷を搬送することができるように構成されている、
請求項３に記載のクレーン運転システム。
【請求項６】
前記クレーン制御盤は、第５の鍵穴を備え、第３の鍵が前記第５の鍵穴に差し込まれていると、前記第１の鍵が前記第１の鍵穴から取り外すことができるインターロックを備える、
請求項３に記載のクレーン運転システム。
【請求項７】
前記クレーン制御盤は、第６の鍵穴を備え、第４の鍵が前記第６の鍵穴に差し込まれていると、前記クレーン制御盤の操作が可能になるインターロックを備える、
請求項３に記載のクレーン運転システム。
【発明の詳細な説明】
【技術分野】
【０００１】
本発明は、吊り具を用いて吊り荷を吊り上げるクレーンの運転システムに関する。
【背景技術】
【０００２】
クレーンにて荷役作業を行う際に、吊り荷が吊り具に適切に取り付けられていないと、または吊り具がクレーンフックに適切に取り付けられていないと、吊り荷の搬送中に吊り荷または吊り具がクレーンから落下する恐れがある。
【０００３】
特許文献１には、従来のクレーンの例として、操作パネルを有する制御装置と、操作パネルに設けられて自動運転モードから点検モードに切り換えるキースイッチを備える走行クレーンが記載されている。この走行クレーンでは、キースイッチを自動運転モードに切り換えてキーを抜き、このキーで地上側の主操作盤の主キースイッチを自動運転モードにセットすることにより、走行クレーンを地上側の主操作盤に設定した条件で自動運転することができる。
【０００４】
特許文献２には、原子力発電施設において、沸騰水形原子炉の定期点検時や燃料交換時に、原子炉内機器を原子炉圧力容器内から取り出し、移送するための原子炉内機器昇降装置が記載されている。この原子炉内機器昇降装置は、天井クレーンのフックによって吊下げられる。
【先行技術文献】
【特許文献】
【０００５】
【特許文献１】特開平０１−２９４１０４号公報
【特許文献２】特開平１１−６４５７０号公報
【発明の概要】
【発明が解決しようとする課題】
【０００６】
天井クレーン等のクレーンを用いた荷役作業は、玉掛け指揮者の合図に従い、クレーンの運転手がクレーンを操作することで実施される。従来では、吊り荷が吊り具に適切に取り付けられているか否か、または吊り具がクレーンフックに適切に取り付けられているか否かの判断、すなわち荷重伝達経路の健全性が確保されているか否かの判断は、玉掛け指揮者の目視確認に依存している。荷重伝達経路の健全性は、玉掛け指揮者の判断という人の判断に依存しているので、十分に確保できないこともあり得る。荷重伝達経路の健全性が十分に確保できないと、吊り荷や吊り具がクレーンから落下する恐れがある。そこで、玉掛け指揮者等の人の判断によらずに荷重伝達経路の健全性を確保できるクレーンが望まれている。
【０００７】
本発明の目的は、荷重伝達経路の健全性を確保できるクレーン運転システムを提供することである。
【課題を解決するための手段】
【０００８】
本発明によるクレーン運転システムは、吊り荷を搬送するクレーンと、前記クレーンに取り付けられ、前記吊り荷が取り付けられる吊り具と、前記クレーンを制御するクレーン制御盤と、前記吊り具を制御する吊り具制御盤とを備える。前記吊り具制御盤は、前記クレーン制御盤に差し込まれていた第１の鍵が差し込まれると、前記吊り具制御盤の操作が可能になる構成を備える。前記クレーン制御盤は、前記吊り具制御盤に差し込まれていた第２の鍵が差し込まれると、前記クレーンが前記吊り荷を搬送するのを可能にする構成を備える。
【発明の効果】
【０００９】
本発明によると、荷重伝達経路の健全性を確保できるクレーン運転システムを提供することができる。
【図面の簡単な説明】
【００１０】
【図１】本発明の実施例によるクレーン運転システムの天井クレーン制御盤の概要を示す図。
【図２】本発明の実施例によるクレーン運転システムの吊り具制御盤の概要を示す図。
【図３】本発明の実施例によるクレーン運転システムを示す図。
【図４】本発明の実施例によるクレーン運転システムにおいて、ドライヤーセパレータを吊り荷として吊り上げる作業の手順について説明する図。
【発明を実施するための形態】
【００１１】
本発明によるクレーン運転システムでは、クレーンと吊り具が制御盤を備え、これらの制御盤が機械的なインターロックを有し、定められた一連の手順を作業者が適切に完了しない限り、クレーンで吊り荷を吊り上げることができない。定められた一連の手順は、クレーンと吊り具の制御盤に対して鍵を付け替える手順である。
【００１２】
本発明によるクレーン運転システムは、上記のような構成を備えるので、吊り荷が吊り具に適切に取り付けられていること、すなわち荷重伝達経路の健全性を、機械的に確保することができ、吊り荷の搬送中に吊り荷がクレーンから落下するのを防ぐことができる。
【００１３】
以下、本発明の実施例によるクレーン運転システムについて、図面を用いて説明する。以下の実施例では、クレーン運転システムが原子力発電施設における天井クレーンをクレーンとして備え、天井クレーンがドライヤーセパレータとキャスクを吊り荷として吊り上げて搬送する例を説明する。なお、本発明によるクレーン運転システムは、クレーンが原子力発電施設における天井クレーン以外のクレーンでもよく、ドライヤーセパレータとキャスク以外の物体を吊り荷として吊り上げることができる。
【実施例】
【００１４】
図３は、本実施例によるクレーン運転システムを示す図である。本実施例によるクレーン運転システムは、天井クレーンと吊り具を備え、吊り荷１１を搬送する。
【００１５】
天井クレーンは、天井クレーン本体２、走行レール３、フック４、天井クレーン制御線５、天井クレーン制御盤７、及び運転室３０を備える。天井クレーン本体２は、運転室３０に位置するクレーン運転手３１に操作され、走行レール３を走行し、フック４に取り付けられた吊り具を用いて吊り荷１１を吊り上げて搬送する。天井クレーン本体２には、天井クレーン制御盤７が接続された天井クレーン制御線５が接続されている。
【００１６】
天井クレーン制御盤７は、天井クレーン本体２を制御する。天井クレーン制御盤７は、任意の位置、例えばオペレーションフロア１に設置することができ、玉掛け作業者２９が天井クレーン本体２を操作するのに用いられる。天井クレーン本体２は、天井クレーン制御盤７により吊り上げ可能な吊り荷１１の荷重が設定されると、吊り荷１１を搬送することができる機構を備える。
【００１７】
吊り具は、吊り具本体８、吊り具制御線９、及び吊り具制御盤１０を備える。吊り具本体８は、天井クレーンのフック４に取り付けられ、搬送すべき吊り荷１１が取り付けられる。吊り具本体８には、吊り具制御盤１０が接続された吊り具制御線９が接続されている。
【００１８】
吊り具制御盤１０は、吊り具本体８を制御する。吊り具制御盤１０は、玉掛け作業者２９が携帯でき、玉掛け作業者２９が吊り具本体８を操作するのに用いられる。吊り具本体８は、吊り具制御盤１０に制御されて、吊り荷１１が取り付けられるようになる。
【００１９】
本実施例によるクレーン運転システムでは、例えばオペレーションフロア１に位置する玉掛け作業者２９により、玉掛け作業が行われる。玉掛け作業者２９は、例えばオペレーションフロア１に位置する玉掛け指揮者６の指示に従い、玉掛け作業を実施する。
【００２０】
図１は、天井クレーン制御盤７の概要を示す図である。天井クレーン制御盤７は、電源鍵穴１２、キャスク搬送モード選択鍵穴１３、ドライヤーセパレータ搬送モード選択鍵穴１４、キャスクコントロール鍵穴１５、ドライヤーセパレータコントロール鍵穴１６、キャスク取り付け確認鍵穴１７、ドライヤーセパレータ取り付け確認鍵穴１８、モード選択スイッチ２３、及びホイスト選択スイッチ２４を備える。
【００２１】
モード選択スイッチ２３は、吊り荷１１と運転目的に応じた天井クレーンの運転モードを選択するためのスイッチである。ホイスト選択スイッチ２４は、使用するホイストを選択するスイッチである。モード選択スイッチ２３とホイスト選択スイッチ２４により、吊り荷１１と運転目的に応じた天井クレーンの運転条件を設定することができる。
【００２２】
図２は、吊り具制御盤１０の概要を示す図である。吊り具制御盤１０は、電源鍵穴２５、取り付け確認鍵穴２６、及び吊り具開閉スイッチ２８を備える。吊り具開閉スイッチ２８は、吊り具本体８に吊り荷１１を取り付けるためのスイッチである。
【００２３】
以下、本実施例によるクレーン運転システムにおいて、荷重伝達経路の健全性を機械的に確保できること、すなわち、吊り荷１１が吊り具本体８に適切に取り付けられていることを、天井クレーン制御盤７と吊り具制御盤１０が備える機械的なインターロックにより確保できることを説明する。本実施例によるクレーン運転システムでは、天井クレーン制御盤７と吊り具制御盤１０に対して鍵を付け替える一連の手順を玉掛け作業者２９が完了することで、荷重伝達経路の健全性を機械的に確保でき、天井クレーン本体２で吊り荷１１を吊り上げることができる。以下では、この一連の手順を、ドライヤーセパレータを吊り荷１１として吊り上げる作業を例に挙げて説明する。吊り具制御盤１０は、ドライヤーセパレータを吊り荷１１として吊り上げる作業で使用される制御盤である。
【００２４】
なお、以下では、吊り具本体８への吊り荷１１の取り付けについて説明するが、天井クレーンのフック４への吊り具本体８の取り付けも、同様の構成と同様の手順を用いることにより実施でき、吊り具本体８がフック４に適切に取り付けられていることも機械的なインターロックにより確保できる。
【００２５】
図１に示すように、本実施例によるクレーン運転システムは、天井クレーン制御盤７の鍵穴に差し込むことができる４つの鍵、すなわち、電源鍵１９、ドライヤーセパレータ搬送モード選択鍵２０、キャスクコントロール鍵２１、及びドライヤーセパレータコントロール鍵２２を備える。電源鍵１９は、電源鍵穴１２に差し込むことができる。ドライヤーセパレータ搬送モード選択鍵２０は、ドライヤーセパレータ搬送モード選択鍵穴１４に差し込むことができる。キャスクコントロール鍵２１は、キャスクコントロール鍵穴１５に差し込むことができる。ドライヤーセパレータコントロール鍵２２は、ドライヤーセパレータコントロール鍵穴１６に差し込むことができる。ドライヤーセパレータコントロール鍵２２は、吊り具制御盤１０の電源鍵穴２５に差し込むこともできる（図２）。
【００２６】
図２に示すように、本実施例によるクレーン運転システムは、吊り具制御盤１０の取り付け確認鍵穴２６に差し込むことができるドライヤーセパレータ取り付け確認鍵２７を備える。ドライヤーセパレータ取り付け確認鍵２７は、天井クレーン制御盤７のドライヤーセパレータ取り付け確認鍵穴１８に差し込むこともできる（図１）。
【００２７】
本実施例によるクレーン運転システムは、天井クレーンの運転開始前（天井クレーン本体２で吊り荷１１を吊り上げる作業を開始する前）では、図１、２に示すように、キャスクコントロール鍵２１がキャスクコントロール鍵穴１５に差し込まれており、ドライヤーセパレータコントロール鍵２２がドライヤーセパレータコントロール鍵穴１６に差し込まれており、ドライヤーセパレータ取り付け確認鍵２７が取り付け確認鍵穴２６に差し込まれている。
【００２８】
本実施例によるクレーン運転システムでは、天井クレーン制御盤７は、機械的なインターロックを備え、このインターロックにより、電源鍵穴１２に電源鍵１９が差し込まれていないと、電源が入らず、操作できない。天井クレーン制御盤７は、電源鍵穴１２に電源鍵１９が差し込まれると、インターロックが解除され、電源が入り、天井クレーン制御盤７の操作が可能になり、モード選択スイッチ２３とホイスト選択スイッチ２４の操作が可能になって、天井クレーンの操作が可能になる。
【００２９】
天井クレーン制御盤７は、機械的なインターロックを備え、このインターロックにより、電源鍵穴１２に電源鍵１９が差し込まれており、ドライヤーセパレータ搬送モード選択鍵穴１４にドライヤーセパレータ搬送モード選択鍵２０が差し込まれていないと、ドライヤーセパレータコントロール鍵穴１６からドライヤーセパレータコントロール鍵２２を取り外すことができない。天井クレーン制御盤７は、機械的なインターロックを備え、このインターロックにより、電源鍵穴１２に電源鍵１９が差し込まれており、キャスク搬送モード選択鍵穴１３にキャスク搬送モード選択鍵（図示せず）が差し込まれていないと、キャスクコントロール鍵穴１５からキャスクコントロール鍵２１を取り外すことができない。
【００３０】
天井クレーン制御盤７は、電源鍵穴１２に電源鍵１９が差し込まれており、ドライヤーセパレータ搬送モード選択鍵穴１４にドライヤーセパレータ搬送モード選択鍵２０が差し込まれていると、インターロックが解除され、ドライヤーセパレータコントロール鍵穴１６からドライヤーセパレータコントロール鍵２２を取り外すことができる。天井クレーン制御盤７は、電源鍵穴１２に電源鍵１９が差し込まれており、キャスク搬送モード選択鍵穴１３にキャスク搬送モード選択鍵（図示せず）が差し込まれていると、インターロックが解除され、キャスクコントロール鍵穴１５からキャスクコントロール鍵２１を取り外すことができる。
【００３１】
また、本実施例によるクレーン運転システムでは、吊り具制御盤１０は、機械的なインターロックを備え、このインターロックにより、電源鍵穴２５にドライヤーセパレータコントロール鍵２２が差し込まれていないと、電源が入らず、吊り具制御盤１０の操作ができず、取り付け確認鍵穴２６からドライヤーセパレータ取り付け確認鍵２７を取り外すことができない。
【００３２】
吊り具制御盤１０は、電源鍵穴２５にドライヤーセパレータコントロール鍵２２が差し込まれると、インターロックが解除され、電源が入り、吊り具制御盤１０の操作が可能になり、吊り具開閉スイッチ２８の操作が可能になって、吊り具本体８の操作が可能になるとともに、取り付け確認鍵穴２６からドライヤーセパレータ取り付け確認鍵２７を取り外すことができる。
【００３３】
さらに、本実施例によるクレーン運転システムでは、天井クレーン制御盤７は、機械的なインターロックを備え、このインターロックにより、ドライヤーセパレータ取り付け確認鍵穴１８にドライヤーセパレータ取り付け確認鍵２７が差し込まれていないと、天井クレーン本体２で吊り荷１１（ドライヤーセパレータ）を搬送できない。天井クレーン制御盤７は、機械的なインターロックを備え、このインターロックにより、キャスク取り付け確認鍵穴１７にキャスク取り付け確認鍵（図示せず）が差し込まれていないと、天井クレーン本体２で吊り荷１１（キャスク）を搬送できない。
【００３４】
天井クレーン制御盤７は、ドライヤーセパレータ取り付け確認鍵穴１８にドライヤーセパレータ取り付け確認鍵２７が差し込まれると、インターロックが解除され、天井クレーン本体２が吊り荷１１（ドライヤーセパレータ）を搬送するのを可能にする。天井クレーン制御盤７は、キャスク取り付け確認鍵穴１７にキャスク取り付け確認鍵が差し込まれると、インターロックが解除され、天井クレーン本体２が吊り荷１１（キャスク）を搬送するのを可能にする。
【００３５】
以下では、本実施例によるクレーン運転システムにおいて、ドライヤーセパレータを吊り荷１１として吊り上げる作業の手順について説明する。
【００３６】
図４は、本実施例によるクレーン運転システムにおいて、ドライヤーセパレータを吊り荷１１として吊り上げる作業の手順について説明する図である。図４には、天井クレーン制御盤７と、吊り具制御盤１０と、これらの制御盤７、１０に対して取り付けられたり取り外されたりして付け替えられる鍵を示している。
【００３７】
初めに、玉掛け作業者２９は、玉掛け指揮者６の指示に従い、天井クレーン制御盤７の電源鍵穴１２に電源鍵１９を差し込む（図４の矢印Ａ）。天井クレーン制御盤７は、電源鍵穴１２に電源鍵１９が差し込まれると、モード選択スイッチ２３とホイスト選択スイッチ２４の操作が可能になり、天井クレーンの運転が可能になる。
【００３８】
次に、玉掛け作業者２９は、モード選択スイッチ２３とホイスト選択スイッチ２４を操作し、吊り荷１１に応じて天井クレーンの運転条件を設定する。本実施例では、玉掛け作業者２９は、ドライヤーセパレータを吊り荷１１として搬送するときの運転条件を設定する。天井クレーン制御盤７には、モード選択スイッチ２３とホイスト選択スイッチ２４により、天井クレーンの運転条件が設定される。
【００３９】
次に、玉掛け作業者２９は、玉掛け指揮者６の指示に従い、天井クレーン制御盤７のドライヤーセパレータ搬送モード選択鍵穴１４にドライヤーセパレータ搬送モード選択鍵２０を差し込む（図４の矢印Ｂ）。天井クレーン制御盤７は、ドライヤーセパレータ搬送モード選択鍵穴１４にドライヤーセパレータ搬送モード選択鍵２０が差し込まれると、ドライヤーセパレータコントロール鍵穴１６からドライヤーセパレータコントロール鍵２２を取り外すことができる。
【００４０】
次に、玉掛け作業者２９は、玉掛け指揮者６の指示に従い、ドライヤーセパレータコントロール鍵穴１６からドライヤーセパレータコントロール鍵２２を取り外し（図４の矢印Ｃ）、吊り具制御盤１０の電源鍵穴２５にドライヤーセパレータコントロール鍵２２を差し込む（図４の矢印Ｄ）。吊り具制御盤１０は、電源鍵穴２５にドライヤーセパレータコントロール鍵２２が差し込まれると、吊り具開閉スイッチ２８の操作が可能になるとともに、取り付け確認鍵穴２６からドライヤーセパレータ取り付け確認鍵２７を取り外すことができる。
【００４１】
次に、玉掛け作業者２９は、吊り具開閉スイッチ２８を操作し、吊り具本体８に吊り荷１１を取り付ける。玉掛け作業者２９は、吊り具本体８に吊り荷１１を取り付けた後、吊り具本体８に吊り荷１１が接続されているのを確認する。
【００４２】
玉掛け指揮者６は、吊り具本体８に吊り荷１１が接続されているのを確認する。玉掛け指揮者６は、この確認をし、吊り具本体８に吊り荷１１が適切に取り付けられていると判断した後で、玉掛け作業者２９に、ドライヤーセパレータ取り付け確認鍵２７を天井クレーン制御盤７のドライヤーセパレータ取り付け確認鍵穴１８に差し込むことを指示する。
【００４３】
玉掛け作業者２９は、玉掛け指揮者６の指示に従い、取り付け確認鍵穴２６からドライヤーセパレータ取り付け確認鍵２７を取り外し（図４の矢印Ｅ）、天井クレーン制御盤７のドライヤーセパレータ取り付け確認鍵穴１８にドライヤーセパレータ取り付け確認鍵２７を差し込む（図４の矢印Ｆ）。天井クレーン制御盤７は、ドライヤーセパレータ取り付け確認鍵穴１８にドライヤーセパレータ取り付け確認鍵２７が差し込まれると、天井クレーン本体２に対して、モード選択スイッチ２３とホイスト選択スイッチ２４で設定された運転条件に合わせて吊り上げ可能な吊り荷１１の荷重を設定する。天井クレーン本体２は、吊り上げ可能な荷重が設定されると、今まで課されていた吊り上げ可能な荷重についての制限が解除され、吊り荷１１であるドライヤーセパレータを搬送することが可能になる。
【００４４】
本実施例によるクレーン運転システムは、以上のような一連の手順を実施することにより、吊り具本体８を用いて吊り荷１１（ドライヤーセパレータ）を搬送することが可能になる。
【００４５】
以上では、ドライヤーセパレータを吊り荷１１として吊り上げる作業の手順について説明したが、本実施例によるクレーン運転システムでは、キャスクを吊り荷１１として吊り上げることもできる。但し、吊り具制御盤１０は、キャスクを吊り荷１１として吊り上げる作業で用いられる制御盤であり、取り付け確認鍵穴２６にはキャスク取り付け確認鍵（図示せず）が差し込まれている。
【００４６】
以下では、キャスクを吊り荷１１として吊り上げる手順について、簡単に説明する。キャスクを吊り荷１１として吊り上げる場合も、玉掛け作業者２９は、玉掛け指揮者６の指示に従い、鍵を鍵穴から取り外したり、鍵を鍵穴に差し込んだりする。
【００４７】
キャスクを吊り荷１１として吊り上げる作業を実施する際には、玉掛け作業者２９は、天井クレーン制御盤７の電源鍵穴１２に電源鍵１９を差し込み、モード選択スイッチ２３とホイスト選択スイッチ２４を操作して天井クレーンの運転条件（キャスクを吊り荷１１として搬送するときの運転条件）を設定した後、キャスク搬送モード選択鍵穴１３にキャスク搬送モード選択鍵（図示せず）を差し込む。天井クレーン制御盤７は、キャスク搬送モード選択鍵穴１３にキャスク搬送モード選択鍵が差し込まれると、キャスクコントロール鍵穴１５からキャスクコントロール鍵２１を取り外すことができる。
【００４８】
次に、玉掛け作業者２９は、キャスクコントロール鍵穴１５からキャスクコントロール鍵２１を取り外し、吊り具制御盤１０の電源鍵穴２５にキャスクコントロール鍵２１を差し込む。吊り具制御盤１０は、電源鍵穴２５にキャスクコントロール鍵２１が差し込まれると、吊り具開閉スイッチ２８の操作が可能になるとともに、取り付け確認鍵穴２６からキャスク取り付け確認鍵（図示せず）を取り外すことができる。
【００４９】
次に、玉掛け作業者２９は、吊り具開閉スイッチ２８を操作して吊り具本体８に吊り荷１１（キャスク）を取り付け、取り付け確認鍵穴２６からキャスク取り付け確認鍵（図示せず）を取り外し、天井クレーン制御盤７のキャスク取り付け確認鍵穴１７にキャスク取り付け確認鍵を差し込む。天井クレーン制御盤７は、キャスク取り付け確認鍵穴１７にキャスク取り付け確認鍵が差し込まれると、天井クレーン本体２に対して、モード選択スイッチ２３とホイスト選択スイッチ２４で設定された運転条件に合わせて吊り上げ可能な吊り荷１１の荷重を設定する。天井クレーン本体２は、吊り上げ可能な荷重が設定されると、今まで課されていた吊り上げ可能な荷重についての制限が解除され、吊り荷１１であるキャスクを搬送することが可能になる。
【００５０】
本実施例によるクレーン運転システムは、以上のような一連の手順を実施することにより、吊り具本体８を用いて吊り荷１１（キャスク）を搬送することが可能になる。
【００５１】
以上説明したように、本実施例によるクレーン運転システムでは、天井クレーン制御盤７と吊り具制御盤１０に対して鍵を付け替える一連の手順を実施することで、荷重伝達経路の健全性を機械的なインターロックにより確保でき、天井クレーン本体２で吊り荷１１を搬送することができる。
【００５２】
本実施例によるクレーン運転システムで使用される鍵には、鍵穴に差し込まれる部分を備え、鍵穴に対して抜き差しができ、機械的なインターロックを解除できるものであれば、任意の鍵を用いることができる。例えば、シリンダー錠で用いられる鍵やカードキーを、本実施例によるクレーン運転システムで使用される鍵に用いることができる。なお、本実施例によるクレーン運転システムでは複数の鍵を使用するが、これらの鍵は、インターロックを解除するための情報（例えば、鍵穴に差し込まれる部分の形状や、鍵に記録された情報）が、全て互いに異なる。
【００５３】
本実施例によるクレーン運転システムの構成において、ドライヤーセパレータコントロール鍵穴１６とキャスクコントロール鍵穴１５は「第１の鍵穴」と、ドライヤーセパレータ取り付け確認鍵穴１８とキャスク取り付け確認鍵穴１７は「第２の鍵穴」と、ドライヤーセパレータ搬送モード選択鍵穴１４とキャスク搬送モード選択鍵穴１３は「第５の鍵穴」と、ドライヤーセパレータコントロール鍵２２とキャスクコントロール鍵２１は「第１の鍵」と、それぞれ総称することができる。また、電源鍵穴２５は「第３の鍵穴」と、取り付け確認鍵穴２６は「第４の鍵穴」と、電源鍵穴１２は「第６の鍵穴」と、ドライヤーセパレータ取り付け確認鍵２７は「第２の鍵」と、ドライヤーセパレータ搬送モード選択鍵２０は「第３の鍵」と、電源鍵１９は「第４の鍵」と、それぞれ呼ぶことができる。
【００５４】
なお、本発明は、上記の実施例に限定されるものではなく、様々な変形が可能である。例えば、上記の実施例は、本発明を分かりやすく説明するために詳細に説明したものであり、本発明は、必ずしも説明した全ての構成を備える態様に限定されるものではない。また、ある実施例の構成の一部を他の実施例の構成に置き換えることが可能である。また、ある実施例の構成に他の実施例の構成を加えることも可能である。また、各実施例の構成の一部について、削除したり、他の構成を追加・置換したりすることが可能である。
【符号の説明】
【００５５】
１…オペレーションフロア、２…天井クレーン本体、３…走行レール、４…フック、５…天井クレーン制御線、６…玉掛け指揮者、７…天井クレーン制御盤、８…吊り具本体、９…吊り具制御線、１０…吊り具制御盤、１１…吊り荷、１２…電源鍵穴、１３…キャスク搬送モード選択鍵穴、１４…ドライヤーセパレータ搬送モード選択鍵穴、１５…キャスクコントロール鍵穴、１６…ドライヤーセパレータコントロール鍵穴、１７…キャスク取り付け確認鍵穴、１８…ドライヤーセパレータ取り付け確認鍵穴、１９…電源鍵、２０…ドライヤーセパレータ搬送モード選択鍵、２１…キャスクコントロール鍵、２２…ドライヤーセパレータコントロール鍵、２３…モード選択スイッチ、２４…ホイスト選択スイッチ、２５…電源鍵穴、２６…取り付け確認鍵穴、２７…ドライヤーセパレータ取り付け確認鍵、２８…吊り具開閉スイッチ、２９…玉掛け作業者、３０…運転室、３１…クレーン運転手。
【図１】
2020093918.tif 000003
【図２】
2020093918.tif 000004
【図３】
2020093918.tif 000005
【図４】
2020093918.tif 000006